(57)【特許請求の範囲】
【請求項１】
穀物を投入する投入ホッパと、投入ホッパに投入した穀物を揚穀する昇降機と、昇降機で揚穀した穀物を籾摺する籾摺機と、穀物を精米処理する精米機を設けた籾摺精米設備において、籾摺機と精米機との間の工程に、玄米と籾とを分離選別する選別機を設け、選別機で選別した籾を排出する排出口と、昇降機の投入口とを戻しダクトで連通する構成とし、
選別機には籾摺機から供給された穀物から夾雑物を選別する夾雑物選別板と、夾雑物選別板を通過した穀物を籾と玄米とに分離する籾選別板と、玄米が通過する玄米流下板を設け、
選別機に供給された穀物を籾選別板に供給するか玄米流下板に供給するかを切り替える切替体を設けたことを特徴とする籾摺精米設備。
【請求項２】
夾雑物選別板と籾選別板は共通の揺動リンクで揺動する構成とし、それぞれ異なる方向に下がり傾斜に配置する構成としたことを特徴とする請求項１記載の籾摺精米設備。
【発明の詳細な説明】
【技術分野】
【０００１】
本発明は、籾を籾摺精米するか玄米を精米する籾摺精米設備に関する。
【背景技術】
【０００２】
特許文献１には籾摺精米設備に関して、夾雑物選別装置を設ける構成が記載されている。
【先行技術文献】
【特許文献】
【０００３】
【特許文献１】特開平9-276720号公報
【発明の概要】
【発明が解決しようとする課題】
【０００４】
投入する穀物が籾の場合には精米機で精米処理する前に、籾摺機で脱ぷ処理される。しかしながら籾摺機Ｍでは１００％脱ぷできず、一部の籾が精米機に供給されて精米処理される。そのため、若干の籾殻が発生して精白米と共に精白米タンクに排出される場合があった。
【０００５】
本願発明は、籾摺精米設備において、籾を精米機に供給しないようにすることを課題とする。
【課題を解決するための手段】
【０００６】
この発明は、かかる技術的課題を解決するために次のような技術的手段を講ずる。すなわち、請求項１記載の発明は、
穀物を投入する投入ホッパと、投入ホッパに投入した穀物を揚穀する昇降機と、昇降機で揚穀した穀物を籾摺する籾摺機と、穀物を精米処理する精米機を設けた籾摺精米設備において、籾摺機と精米機との間の工程に、玄米と籾とを分離選別する選別機を設け、選別機で選別した籾を排出する排出口と、昇降機の投入口とを戻しダクトで連通する構成とし、
選別機には籾摺機から供給された穀物から夾雑物を選別する夾雑物選別板と、夾雑物選別板を通過した穀物を籾と玄米とに分離する籾選別板と、玄米が通過する玄米流下板を設け、
選別機に供給された穀物を籾選別板に供給するか玄米流下板に供給するかを切り替える切替体を設けたことを特徴とする籾摺精米設備とする。
【０００７】
請求項２記載の発明は、夾雑物選別板と籾選別板は共通の揺動リンクで揺動する構成とし、それぞれ異なる方向に下がり傾斜に配置する構成としたことを特徴とする請求項１記載の籾摺精米設備とする。
【０００８】
【０００９】
【発明の効果】
【００１０】
請求項１記載の発明においては、籾摺機で脱ぷ出来なかった一部の籾を精米機に供給しないで再度籾摺機に供給して脱ぷすることができるため、精白米に籾殻が混じる等の不具合を防止できる。
【００１１】
また、夾雑物を選別してから籾を選別する構成のため、夾雑物が再度籾摺機に供給するのを防止することができる。
また、投入ホッパに玄米を投入した場合には迅速に玄米流下板に供給して次工程に移送することができる。
【００１２】
請求項２記載の発明においては、選別した夾雑物と籾とをそれぞれ異なる方向に取り出すことができるため構成が簡単になる。
【図面の簡単な説明】
【００１３】
【図１】側面から見た籾摺精米設備の内部を示す図
【図２】正面から見た機械室を示す図
【図３】平面から見た籾摺精米設備の内部を示す図
【図４】側面から見た選別機を説明する図
【図５】平面から見た選別機を説明する図
【図６】側面から見た伝動構成を示す図
【図７】平面から見た伝動構成を示す図
【図８】利用者室側から見た図
【発明を実施するための形態】
【００１４】
本発明の実施の形態を建屋式の料金式籾摺精米設備に基づいて説明する。
建屋Ｔ内を利用者が入る利用者室Ｒと機械室Ｂとを仕切壁５で仕切る。
この設備では利用者室Ｒ側を前、機械室Ｂ側を後とする。
【００１５】
機械室Ｂには投入ホッパ１内に投入した穀物を揚穀する第一昇降機２と、籾を脱ぷする籾摺機Ｍと、籾摺機Ｍを通過した穀物から夾雑物や籾を選別する選別機Ｋと、石を抜く石抜機３と、精米機４と、精米機４の精米処理で発生した糠を処理する糠処理部Ｎを設ける。
【００１６】
利用者室Ｒ側には操作盤６と投入ホッパ１の穀物投入口１ａと白米タンク７の白米取り出し口７ａを設ける。
操作盤６は料金投入口８と精白度選択スイッチ９を設けている。
【００１７】
投入ホッパ１の側壁には投入した穀物が籾か玄米かを判別する籾玄米判別センサ１０を設け、投入ホッパ１の底部には穀物を第一昇降機２に繰り出す繰り出しラセン１１を設ける。第一昇降機２の後方に配置する籾摺機Ｍはインペラ式の脱ぷ装置１２と、箱体状の風選部１３とから構成される。脱ぷ装置１２は風選部１３の左右一側でかつ、機械室Ｂへの出入り用の扉１４と対向する構成としている。
【００１８】
第一昇降機２の投げ口と脱ぷ装置１２とを穀物流下筒１５で連結し、脱ぷ装置１２と風選部１３の上部とを穀物搬送筒１６で連結する。
風選部１３内は吸引ファン１７と風選棚１８とを設け、下部には穀物排出口１９を設け、穀物排出口１９から下方に向かって穀物排出筒２０が延びる構成としている。
【００１９】
選別機Ｋは夾雑物選別板２１と籾選別板２２と玄米流下板２３と玄米排出筒２４と籾排出筒２５と揺動リンク２６とを備える。夾雑物選別板２１は穀物が通過して大きな異物が通過しない程度の夾雑物選別孔２１ａを多数形成し、機械室Ｂの後方に向かって下がり傾斜に配置する。籾選別板２２は玄米が通過して籾が通過しない程度の籾選別孔２２ａを多数形成し、前方に向かって下がり傾斜に配置し、前端部に籾排出口２７を形成している。玄米流下板２３はフラットな板面で籾選別板２２の下方にあって前方に下がり傾斜に配置し、前端部には玄米排出口２８を設けている。
【００２０】
夾雑物選別板２１と籾選別板２２と玄米流下板２３は一体構成し、揺動リンク２９で前後方向に揺動する構成である。玄米排出口２８は玄米案内筒２９を介して石抜機３の投入口と連通し、籾排出口２７は籾案内筒３０を介して第一昇降機２の投入口と連通する。
【００２１】
夾雑物選別板２１は選別機Ｋの穀物供給側、すなわち後側に配置し、夾雑物選別板２１の下方には籾選別板２２の上流側を配置する。籾選別板２２の下方には玄米流下板２３を平行に設け、籾選別板２２の途中部には籾選別板２２上の籾を玄米流下板２３に案内するための切換弁３１を設けている。
【００２２】
尚、図５に示すように夾雑物選別板２１の一部に穀物排出筒と対向する部分にフラット面のある穀物受け面２１ｂを形成し、穀物排出筒から落下した穀物が当たることで穀物の拡散を促進し、選別性能を向上させている。また、籾選別孔２２ａは選別板面の一部のみ図示しているだけで、実際は全面に形成している。
【００２３】
次に、選別機Ｋの伝動構成について説明する。
風選部１３の下方には本機モータ３２を設け、本機モータ３２のプーリ３３を機械室Ｂ内側に向けて設け、同様に吸引ファン１７を駆動する吸引ファン軸３４のプーリ３５、インペラ３６を駆動するインペラ軸３７のプーリ３８、選別機Ｋのプーリ３９を機械室Ｂの内側に向けて設け、伝動ベルト４０を巻き掛ける構成である。切換弁３１は別途切替モータ（図示せず）を設けている。
【００２４】
次に、本実施の形態の作用について説明する。
利用者が籾を投入した場合について説明する。
利用者が料金を投入し、投入ホッパ１に籾を投入して、精白度選択スイッチ９を操作すると籾摺精米運転が開始する。繰り出しラセン１１で籾を第一昇降機２に繰り出し、第一昇降機２で揚穀する。次いで穀物流下筒１５を流下し、脱ぷ装置１２のインペラ３６で脱ぷし、穀物搬送筒１６で風選部１３に搬送し風選部１３で籾殻を吸引除去する。
【００２５】
風選部１３を通過した脱ぷ米、すなわち籾と玄米の混合米は穀物排出口１９から穀物排出筒２０を経て夾雑物選別板２１に供給される。夾雑物選別板２１の夾雑物選別孔２１ａを通過しなかった夾雑物は後方の夾雑物案内筒３７を経て夾雑物貯留箱３８に貯留される。
【００２６】
夾雑物選別板２１を通過した脱ぷ米は籾選別板２２に落下し、籾選別板２２を流下する。籾選別板２２を流下中に玄米は孔を通過して玄米流下板２３に落下し、玄米排出口２８から玄米案内筒２９を経て石抜機３に供給される。籾選別板２２で孔を通過しなかった籾は籾排出口２７から籾案内筒３０を経て第一昇降機２の投入口へ戻され、再度脱ぷ装置１２で脱ぷ処理される。
【００２７】
石抜機３に供給された玄米は石抜処理され、次いで第二昇降機４１を経て精米機４で精米処理され白米タンク７に排出される。
精米機４で精米処理された糠は糠処理部Ｎのサイクロン４２まで空気搬送されて、糠移送樋４３内のラセン（図示せず）で順次糠袋４４に貯留される。
【００２８】
次に利用者が玄米を投入した場合について説明する。
利用者が料金を投入し、投入ホッパ１に玄米を投入して、精白度選択スイッチ９を操作すると精米運転を開始する。繰り出しラセン１１で玄米を第一昇降機２に繰り出し、第一昇降機２で揚穀する。次いで穀物流下筒１５を流下し、脱ぷ装置１２のインペラ３６で跳ね上げられて穀物搬送筒１６で風選部１３に搬送し、風選部１３で小米を吸引除去する。
【００２９】
風選部１３を通過した玄米は穀物排出口１９から穀物排出筒２０を経て夾雑物選別板２１に供給される。夾雑物選別孔２１ａを通過しなかった夾雑物は後方の夾雑物案内筒４９を経て夾雑物貯留箱５０に貯留される。
【００３０】
夾雑物選別板２１を通過した玄米は籾選別板２２の上流側に落下し、籾選別板２２を流下する。このとき、籾玄米判別センサ１０の判別で玄米を判別しているのを受けて切換弁３１が玄米を玄米流下板２３に落下供給する側に切り換わり、玄米は籾選別板２２の下流に流れることなく玄米流下板２３から玄米排出口２９、玄米案内筒３０を経て石抜機３に供給される。
【００３１】
石抜機３に供給された玄米は石抜処理され、次いで第二昇降機４１を経て精米機４で精米処理され白米タンク７に排出される。
精米機４で精米処理された糠は糠処理部Ｎのサイクロン４２まで空気搬送されて、糠移送樋４３内のラセンで順次糠袋４４に貯留される。
【００３２】
本実施の形態における特徴や効果について以下記載する。
籾を籾摺精米する籾摺精米作業時に、精米機４に供給する前に籾を選別することで、精米機４から白米タンク７に籾殻が排出するのを防止できる。選別した籾を再脱ぷ処理を行なうことができるので、利用者が投入した籾を無駄なく籾摺精米処理することが出来、目減りを防止できる。また、投入ホッパ１に玄米を投入した場合には迅速に玄米流下板２３に供給することで、迅速に次工程の石抜機３に移送することができる。また、選別した夾雑物と籾とをそれぞれ前後反対方向方向に取り出すことができるため、籾案内筒３０や夾雑物案内筒４９及び夾雑物貯留箱５０を設けやすくすることができる。また、選別機Ｋを石抜機３より高い位置でかつ風選部１３より低い位置に設けることで、穀物を上から下に順に落下搬送を行なうことができ、かつ籾案内筒３０の角度を大きく取ることができ、選別した籾を円滑に第一昇降機に戻すことができる。
【符号の説明】
【００３３】
１  投入ホッパ
２  昇降機
４  精米機
２１  夾雑物選別板
２２  籾選別板
２３  玄米流下板
２６  揺動リンク
３１  切替体（切換弁）
Ｋ  選別機
Ｍ  籾摺機
【図１】
0005668502.tif 000002
【図２】
0005668502.tif 000003
【図３】
0005668502.tif 000004
【図４】
0005668502.tif 000005
【図５】
0005668502.tif 000006
【図６】
0005668502.tif 000007
【図７】
0005668502.tif 000008
【図８】
0005668502.tif 000009